(57)【要約】【課題】手芸、包装、日用品、アクセサリ等に幅広く利用できる外観美麗な装飾紐を、容易に製造できるようにする。また、装飾的効果のほか、実用的価値も高められるようにする。【解決手段】線状をなす紙縒りからなる芯材２１と、該芯材２１の表面に螺旋状に巻回される水引からなるカバーリング材３１と、該カバーリング材３１の下に芯材２１の長さ方向に沿って添付され、前記カバーリング材３１の巻回後に溶融される熱溶着糸４１を有する装飾紐１１。【選択図】図１
2010168703.tif 000002
【特許請求の範囲】
【請求項１】
線状をなす芯材の表面に、水引からなるカバーリング材が螺旋状に巻回された
装飾紐。
【請求項２】
線状をなす芯材と、
該芯材の表面に螺旋状に巻回される水引からなるカバーリング材と、
該カバーリング材の下に芯材の長さ方向に沿って添付され、前記カバーリング材の巻回後に溶融される溶着糸を有する
装飾紐。
【請求項３】
両端が包装体に取り付けられて提げ手として用いられる
請求項１または請求項２に記載の装飾紐。
【請求項４】
線状をなす芯材の表面に水引からなるカバーリング材を螺旋状に巻回する巻回工程と、
該巻回工程の前段において前記芯材の長さ方向に沿って溶着糸を沿わせる添付工程と、
前記巻回工程の後、前記溶着糸を溶融させる溶融工程を有する
装飾紐の製造方法。
【発明の詳細な説明】
【技術分野】
【０００１】
この発明は、たとえば手芸や包装（結束、ラッピング、商品タグの留め紐、手提げ袋の提げ手）などのほか、箸置き、コースタ、ランチョンマット、金封、袋、籠、ストラップ、キーホルダ、お守りなどの日用品をはじめ、コサージュ、アクセサリ、髪飾り、迎春飾り、餅飾り、フラワーアレンジメント、各種物品のオーナメントなどの装飾品等に好適に用いられるような装飾紐に関し、より詳しくは、外観が美麗で、実用的価値も高いような装飾紐に関する。
【背景技術】
【０００２】
装飾紐には様々あるが、一般的には、外観を美しくするために表面が組紐のように編んで形成されている。
【０００３】
包装等にも用いることができる多用途の装飾紐も提案されており、これには例えば、下記特許文献１に開示されたようなものがある。この装飾紐の場合も、数本の装飾紐を編んで表面が形成されている。
【０００４】
このように編んで形成した装飾紐は確かに美麗であるが、製造には編むための専用の装置が必要となる。
【０００５】
この点、下記特許文献２の装飾紐のように、飾り布を巻き付けて表面を構成する装飾紐では、編むための装置を用いずとも製造ができる。
【０００６】
しかし、製造にあたっては飾り布の左右両端縁部を突き合せなければならず、精度が要求される。また、特許文献２に開示された製法は、径が２０ｍｍ以上の太いものに適しており、それより細い装飾紐の製造は困難である。
【先行技術文献】
【特許文献】
【０００７】
【特許文献１】実公昭６１−２００６３号公報
【特許文献２】特開平１１−２８６８５８号公報
【発明の概要】
【発明が解決しようとする課題】
【０００８】
そこで、この発明は、外観が美麗でありながらも製造が容易で、細いものでも製造できるような装飾紐を得ることを主たる目的とする。
【課題を解決するための手段】
【０００９】
そのための手段は、線状をなす芯材の表面に、水引からなるカバーリング材が螺旋状に巻回された装飾紐である。
【００１０】
別の手段は、線状をなす芯材と、該芯材の表面に螺旋状に巻回される水引からなるカバーリング材と、該カバーリング材の下に芯材の長さ方向に沿って添付され、前記カバーリング材の巻回後に溶融される溶着糸を有する装飾紐である。
【００１１】
前記「水引」とは、紙縒り又は糸などの線状体に直接着色したり、前記線状体を芯にしてその表面に細幅フィルムや飾り糸を巻きつけたりしたものをいう。水引からなるカバーリング材は、水引を、例えば着色など適宜加工したものであってもよい。
【００１２】
カバーリング材の巻回は、隙間のないように密に行うほか、隙間をあけて粗く行うもよく、また複数種類、複数本の水引をカバーリング材として用いることもできる。
【００１３】
芯材の表面をカバーリング材が覆い、そのカバーリング材は水引で構成されているので、従来のように表面を編んで構成した装飾紐とは外観が異なるものの、芯材とカバーリング材の態様により所望の美麗な外観が得られる。
【００１４】
しかも、カバーリング材を芯材の表面に巻回して製造するので、編む装置は不要で、製造は容易である。
【００１５】
またカバーリング材の巻回により装飾紐の表面には凹凸ができ、この凹凸が他の物との間や装飾紐相互間で、滑り止め、戻り止めなどの役割を果たす。
【００１６】
さらに、溶着糸を有する場合には、溶着糸がカバーリング材を固定するので、接着剤を用いてカバーリング材を固定した場合に比して、接着剤が徒に露出したりすることはなく、美麗な外観を確保するとともに、製造を容易にすることができる。溶着糸は芯材の長さ方向に沿って添付するので、溶着糸の使用量を抑えることが可能である。
【００１７】
このような装飾紐は、前述のような様々な場面で利用されるが、たとえば両端が包装体に取り付けられて提げ手として用いられるとよい。包装体に対する取り付けは直接または間接に行える。
【００１８】
提げ手として用いた装飾紐は、カバーリング材の存在によって、美麗な外観が得られ、包装体を引き立てる。また、提げ手として包装体を持ち易くする。
【００１９】
また、このような提げ手では、カバーリング材が芯材の形態を保持するとともに、芯材を補強する。またカバーリング材の巻回によってできる凹凸が、掌とのなじみを向上し、手との間での滑り止め効果も発揮する。このため、持ち易い。
【００２０】
別の手段は、芯材の表面に水引からなるカバーリング材を螺旋状に巻回する巻回工程と、該巻回工程の前段において前記芯材の長さ方向に沿って溶着糸を沿わせる添付工程と、前記巻回工程の後、前記溶着糸を溶融させる溶融工程を有する装飾紐の製造方法である。
【００２１】
芯材を長さ方向に送りながら溶着糸の添付、カバーリング材の巻回、溶着糸の溶融と、一連の工程で装飾紐を製造できる。
【発明の効果】
【００２２】
以上のように、この発明によれば、多様な外観を有する水引を活用するので、美麗な装飾紐を容易に得ることができる。外観上は表面を編んで構成した装飾紐と異なるもの、カバーリング材の選定により、容易に、バラエティーに富んだ様々な装飾紐を得られる。また、カバーリング材を芯材に巻回して製造するので、太いものは勿論のこと、細い装飾紐でも容易に製造できる。
【００２３】
しかも、カバーリング材は表面において螺旋状に巻回されているので、凹凸を有する。この凹凸が手に持ったときは滑り止めとして働き、装飾紐同士が接触したり装飾紐と他の物が接触したりするときには滑り止めや戻り止め、位置決めとして働く。このため、たとえば袋の提げ手として用いたときには滑り止め機能を有するなど、用途・使用態様に応じた機能を発揮させることもできる。
【図面の簡単な説明】
【００２４】
【図１】装飾紐の斜視図。
【図２】カバーリング材の斜視図。
【図３】他の例に係る装飾紐の斜視図。
【図４】他の例に係る装飾紐の斜視図。
【図５】他の例に係る装飾紐の斜視図。
【図６】作用状態の一例を示す説明図。
【図７】使用状態の一例を示す斜視図。
【発明を実施するための形態】
【００２５】
この発明を実施するための一形態を、以下図面を用いて説明する。  
図１は、装飾紐１１の構造を示すべく一部を解いた状態の斜視図であり、この装飾紐１１は、手芸や包装（結束、ラッピング、商品タグの留め紐、手提げ袋の提げ手）などのほか、箸置き、コースタ、ランチョンマット、金封、袋、籠、ストラップ、キーホルダ、お守りなどの日用品をはじめ、コサージュ、アクセサリ、髪飾り、迎春飾り、餅飾り、フラワーアレンジメント、各種物品のオーナメントなどの装飾品等に好適に使用される。
【００２６】
図１に示したように装飾紐１１は、線状をなす芯材２１の表面に、水引からなるカバーリング材３１が螺旋状に巻回されて構成されている。
【００２７】
前記芯材２１には、紙縒り、合成樹脂製又は金属製のワイヤなどが用いられる。太さは、用途に応じて適宜設定される。また、外観は適宜の色彩、模様のものを用い、カバーリング材３１の間から出するときには、カバーリング材３１との調和を図るようにする。
【００２８】
前記カバーリング材３１は水引であって、紙縒り、糸、合成樹脂製ワイヤなどの線状体に直接着色したり、前記線状体を芯にしてその表面に細幅フィルムや飾り糸を巻きつけたりしたものである。このような水引に着色等を施して構成することもできる。
【００２９】
図２にカバーリング材３１の一例を示す。  
図２（ａ）は、前記線状体３２のみからなるカバーリング材で、予め適宜の色が付されたり、着色されたりして、適宜の色彩や模様を有する。図面では断面円形のものを表したが、断面形状が方形のものなどであるもよい。また、線状体３２は糸（撚糸、撚糸の束、無撚糸を含む）で構成することもできる。
【００３０】
図２（ｂ）は、前記線状体３２の表面に、金属蒸着テープなどのような光沢や色彩を有する装飾テープ３３を螺旋状に粗く巻回したものである。線状体３２が露出するので、線状体３２の外観と調和の取れる装飾テープ３３を選定する。
【００３１】
図２（ｃ）は、前記線状体３２の表面に、金属蒸着テープなどのような光沢や色彩を有する装飾テープ３３を螺旋状に、隙間なく密に巻回したものである。複数種類の装飾テープ３３を巻回して複数色の外観を付与することもできる。
【００３２】
図２（ｄ）は、前記線状体３２の表面に、撚糸又は無撚糸３４（以下、「糸」という。）を螺旋状に巻回したものである。巻回は、図示したように密に行うも、粗く行うも、いずれでもよい。
【００３３】
図２（ｅ）は、前記線状体３２の表面に、金属蒸着テープなどのような光沢や色彩を有する装飾テープ３３と、糸３４（撚糸又は無撚糸）を螺旋状に巻回したものである。装飾テープと糸３４との間には隙間を設けて、線状体３２を露出させることもできる。
【００３４】
図２（ｆ）は、前記線状体の表面に、金属蒸着テープなどのような光沢や色彩を有する装飾テープであって、前記（ｂ）、（ｃ）、（ｅ）に図示したものよりも細幅にした糸状の装飾テープ３５と、撚糸３６を、隙間をあけて螺旋状に巻回したものである。
【００３５】
上記線状体３２は、柔軟性を有する材料であるのが好ましい。芯材２１に対する巻き付けがより硬くしっかりと行えるようにするためである。このため、紙縒りであれば柔らかい紙からなるものを使用する。
【００３６】
このようなカバーリング材の巻回状態を保持するために、装飾紐１１は、溶着糸としての熱溶着糸４１を有する（図１参照）。熱溶着糸４１は、その融点以上に加熱されると溶けて、接触している部分を接着するものである。
【００３７】
すなわち、熱溶着糸４１は、カバーリング材３１の下に、芯材２１の長さ方向沿って添付され、カバーリング材３１の巻回後に溶融され、カバーリング材３１と芯材２１とを一体化する。図１等においては、熱溶着糸４１を破線で表した。
【００３８】
使用する熱溶着糸４１は、芯材２１等の太さなどの条件に応じて適宜のものが使用される。また熱溶着糸４１は、芯材２１の表面の適宜箇所に添付するとよいが、好ましくは、径方向において相対向する２箇所に添付するとよい。１箇所であると、周方向の１箇所しか固定できない状態であって、巻回状態を確保しにくくなり得るが、２箇所より多いと、巻回状態の確保という点では十分すぎる反面、製造装置が複雑になるからである。
【００３９】
以上のような構成の装飾紐１１の製造は、芯材２１に熱溶着糸４１を沿わせる添付工程と、該添付工程の後、カバーリング材３１を螺旋状に巻回する巻回工程と、該巻回工程の後、前記熱溶着糸４１が溶融する温度で加熱する溶融工程としての加熱溶融工程を経て行う。
【００４０】
添付工程では、長さ方向に沿って搬送される芯材２１（紙縒りであれば予め紙縒りにしたものも、直前で紙縒りにするものも含む。）の径方向において対向する２箇所に、熱溶着糸４１を引き出しながら沿わせる。沿わせるには芯材２１と熱溶着糸４１を孔状の通路（図示せず）に通せば、連続した作業で製造が行える。
【００４１】
巻回工程では、前記添付工程を経た熱溶着糸４１付きの芯材２１に対して、周知の手段でカバーリング材３１を巻き付ける。カバーリング材３１は、図１に示したように適宜の隙間をあけて巻き付けられる。
【００４２】
前記加熱溶融工程では、前記巻回工程で、カバーリング材３１が硬くしっかりと巻き付けられた芯材２１を、周知の連続加熱乾燥炉（図示せず）に通す。すると、連続加熱乾燥炉では、熱溶着糸４１が溶融する所定の温度で全体が加熱され、前述のように熱溶着糸４１が溶融し、カバーリング材３１の芯材２１に対する接着がなされる。芯材２１が紙縒りからなる場合には、溶けた熱溶着糸４１が紙縒りの表面を部分的にコーティングすることになるので、紙縒りの形態を保持できる。
【００４３】
加熱溶融工程を経て完成した装飾紐１１は、適宜長さに裁断されたり、巻き取られたりする。前述のような連続した一連の工程で、装飾紐１１は製造される。
【００４４】
なお、前記巻回工程では、図３に示した他の例に係る装飾紐１１のように、カバーリング材３１を密に巻くも、図４に示した他の例に係る装飾紐１１のように芯材２１に対するカバーリング材３１の太さを図１、図３に示した装飾紐１１の場合よりも細くして、より粗く巻くもよい。
【００４５】
図示はしないが、カバーリング材３１としては、複数種類、複数本の水引をカバーリング材として用いることもできる。また、水引ではない前述のような装飾テープなどをカバーリング材として加えることもできる。
【００４６】
また、図５に示したように、カバーリング材３１の下に別の下層カバーリング材３７を巻くこともできる。この下層カバーリング材３７は、水引のほか、金属蒸着テープのような光沢や色彩を有する装飾テープや組紐など適宜のものを用いることができる。このようにカバーリング材３１と下層カバーリング材３７を２重に巻く場合には、カバーリング材３１と下層カバーリング材３７の巻回方向を逆にするとよい。また、熱溶着糸４１は、下層カバーリング材３７を巻回した後に添付する。
【００４７】
以上のようにして構成された装飾紐１１は、芯材２１の表面をカバーリング材３１が覆い、そのカバーリング材３１は様々な外観を有する水引で構成されているので、芯材２１とカバーリング材３１の態様により所望の美麗な外観が得られる。しかも、カバーリング材３１を芯材２１の表面に螺旋状に巻回して製造するので、製造は容易であるとともに、太いものは勿論のこと、細いものでも容易に製造できる。
【００４８】
また、熱溶着糸４１でカバーリング材３１を固定するので、接着剤を用いてカバーリング材３１を固定した場合に比して、接着剤が徒に露出したりすることはなく、美麗な外観を確保するとともに、製造を容易にすることができる。
【００４９】
さらに、カバーリング材３１を螺旋状に巻回したことにより、装飾紐１１の表面には凹凸ができ、この凹凸が他の物との間や装飾紐相互間で、滑り止め、戻り止めなどの役割を果たす。たとえば、手に持ったときは滑り止めとして働き、装飾紐１１同士が接触したり装飾紐１１と他の物が接触したりするときには滑り止めや戻り止め、位置決めとして働く。このため、用途・使用態様に応じて適宜の機能を発揮させることもできる。
【００５０】
若干の例を示すと、図６（ａ）に示したように、装飾紐１１を引き揃えるときには、各装飾紐１１の表面の凹部１２と凸部１３が互いに噛み合うので、一体性を高めることができる。装飾紐１１同士を結束する場合も、各装飾紐１１の表面の凹部１２と凸部１３が互いに噛み合うので、引き寄せた装飾紐１１が戻りにくくなって結束作業が行いやすい。
【００５１】
図６（ｂ）に示したように、物品５１に掛け渡すときには、装飾紐１１の凹部１２が物品５１の角に引っ掛かるので、装飾紐１１が引っ張られた位置から戻るのを抑制し、掛け渡したときの位置ずれを防止し、また緩みを防止できる。
【００５２】
図６（ｃ）に示したように装飾紐１１に紐やワイヤなどの他の部材５２を結束したり、簾を構成するように並べて１枚のシート状にしたりするときには、その部材５２が装飾紐１１の凹部１２にとどまるので、部材５２が装飾紐１１の長さ方向で位置ずれするのを防止できる。
【００５３】
このような装飾紐１１は、前述のような様々な場面で利用されるが、その一例を示すと、たとえば図７に示したように、両端を包装体としての紙袋６１の上端の開口部６２に取り付けて、提げ手６３として用いることができる。
【００５４】
紙袋６１は、上端に開口部６２を有する周知の形態で、この開口部６２の内側に、アーチ状に湾曲された装飾紐１１の両端部が粘着剤を塗布した固定シート６４によって固定されている。この場合の装飾紐１１は、紙袋６１が紙製であるので、装飾紐１１の芯材２１は紙縒りからなるものであるとよい。紙袋６１に対する取り付けは、紙袋６１に形成された孔に差し込んで、結び玉をつくったり他の部材を止めたりして行うものなど、直接または間接に取り付ける適宜の構造でもよい。
【００５５】
このように提げ手６３として用いられる装飾紐１１では、前述のように所望通りの美麗な外観を得られ、手提げ袋を引き立てる。
【００５６】
また、提げ手６３のカバーリング材３１が芯材２１の形態を保持するとともに、芯材２１を補強する。このため、耐久性を高めることができる。
【００５７】
さらに、カバーリング材３１の巻回によってできた凹凸が、掌に対してなじみ易くさせ、手との間での滑り止め効果も発揮する。このため、持ち易い。また、前記したように提げ手６３の両端に結び玉を作って紙袋に取り付ける場合には、前述のように凹凸が適宜噛み合って、結び玉の形状を一定に保つので、不測にほどけるようなことも防止できる。
【００５８】
この発明の構成と、前述の一形態の構成との対応において、  
この発明の溶着糸は、前記の熱溶着糸に対応し、  
同様に、  
溶融工程は、加熱溶融工程に対応するも、  
この発明は、前述の構成のみに限定されるものではなく、その他の形態を採用することもできる。  
たとえば、溶着糸は超音波等によって溶融される糸であるもよい。
【符号の説明】
【００５９】
１１…装飾紐
２１…芯材
３１…カバーリング材
４１…熱溶着糸
６１…紙袋
６３…提げ手
【図１】
2010168703.tif 000003
【図２】
2010168703.tif 000004
【図３】
2010168703.tif 000005
【図４】
2010168703.tif 000006
【図５】
2010168703.tif 000007
【図６】
2010168703.tif 000008
【図７】
2010168703.tif 000009